【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
物体側から順に、正の屈折力を有する第１レンズ群、負の屈折力を有する第２レンズ群、正の屈折力を有する第３レンズ群、負の屈折力を有する第４レンズ群からなり、
前記第４レンズ群は、物体側から順に、像側に凸面を向けた正メニスカスレンズと両凹負レンズの２つのレンズ成分、もしくは、これらを接合した１つのレンズ成分で構成された結像光学系と、
前記結像光学系を通じて結像した像を撮像する撮像素子と、
を備えており、かつ、以下の条件式（１）、（２）を満足することを特徴とする撮像装置。
Ｎｄ４≦−０．０１５×νｄ４＋２．０４  ・・・（１）
−２．５≦ｆＧ４／Ｌ≦−１．５  ・・・（２）
ここで、
Ｎｄ４は前記結像光学系の前記第４レンズ群の前記正メニスカスレンズの硝材の屈折率、
νｄ４は前記結像光学系の前記第４レンズ群の前記正メニスカスレンズの硝材のｄ線基準のアッベ数（ｎｄ１−１）／（ｎＦ１−ｎＣ１）、
ｆＧ４は前記結像光学系の前記第４レンズ群の焦点距離、
Ｌは前記撮像素子の対角長であり、
ｎｄ１、ｎＣ１、ｎＦ１は前記正メニスカスレンズのｄ線、Ｃ線、Ｆ線の屈折率である。
【請求項２】
前記結像光学系が下記条件式（３）を満たすことを特徴とする請求項１に記載の撮像装置。
０．６６≦θｇＦ４ｐ≦０．７５  ・・・（３）
ここで、
θｇＦ４ｐは前記結像光学系の前記第４レンズ群の前記正メニスカスレンズの部分分散比（ｎｇ−ｎＦ）／（ｎＦ−ｎＣ）、
ｎｇは前記正メニスカスレンズのｇ線の屈折率、
ｎＦは前記正メニスカスレンズのＦ線の屈折率、
ｎＣは前記正メニスカスレンズのＣ線の屈折率、
である。
【請求項３】
前記結像光学系が下記条件式（４）を満たすことを特徴とする請求項１又は請求項２に記載の撮像装置。
−７．０≦（Ｒｂ＋＋Ｒａ＋）／（Ｒｂ＋−Ｒａ＋）≦−２．０  ・・・（４）
ここで、
Ｒａ＋は前記結像光学系の前記第４レンズ群の前記正メニスカスレンズの物体側の曲率半径、
Ｒｂ＋は前記結像光学系の前記第４レンズ群の前記正メニスカスレンズの像側の曲率半径、
である。
【請求項４】
前記結像光学系の第３レンズ群が、物体側から順に、開口絞り、正の屈折力を有するレンズ成分の前群、正の屈折力を有するレンズ成分の後群からなり、前記前群の一番像側に負の屈折力を有するレンズ成分を有することを特徴とする請求項１から請求項３のいずれか１項に記載の撮像装置。
【請求項５】
前記結像光学系の第３レンズ群が、物体側から順に、開口絞り、正の屈折力を有するレンズ成分の前群、正の屈折力を有するレンズ成分の後群からなり、前記後群の一番物体側に負の屈折力を有するレンズを有することを特徴とする請求項１から請求項４のいずれか１項に記載の撮像装置。
【請求項６】
前記結像光学系の第２レンズ群が、物体側から順に、負の屈折力を有するレンズ成分、正の屈折力を有するレンズ成分、負の屈折力を有するレンズ成分からなることを特徴とする請求項１から請求項５のいずれか１項に記載の撮像装置。
【請求項７】
前記結像光学系の第１レンズ群が、物体側から順に正の屈折力を有するレンズ成分と負の屈折力を有するレンズ成分の２つのレンズ成分、又は、それらを接合した１つのレンズ成分で構成されることを特徴とする請求項１から請求項６のいずれか１項に記載の撮像装置。
【手続補正２】
【補正対象書類名】明細書
【補正対象項目名】０００７
【補正方法】変更
【補正の内容】
【０００７】
上述した課題を解決し、目的を達成するために、本発明の撮像装置は、物体側から順に、正の屈折力を有する第１レンズ群、負の屈折力を有する第２レンズ群、正の屈折力を有する第３レンズ群、負の屈折力を有する第４レンズ群からなり、第４レンズ群は、物体側から順に、像側に凸面を向けた正メニスカスレンズと両凹負レンズの２つのレンズ成分、もしくは、これらを接合した１つのレンズ成分で構成された結像光学系と、結像光学系を通じて結像した像を撮像する撮像素子と、を備えており、かつ、以下の条件式（１）、（２）を満足することを特徴とする。
Ｎｄ４≦−０．０１５×νｄ４＋２．０４  ・・・（１）
−２．５≦ｆＧ４／Ｌ≦−１．５  ・・・（２）
ここで、
Ｎｄ４は結像光学系の第４レンズ群の正メニスカスレンズの硝材の屈折率、
νｄ４は結像光学系の第４レンズ群の正メニスカスレンズの硝材のｄ線基準のアッベ数（ｎｄ１−１）／（ｎＦ１−ｎＣ１）、
ｆＧ４は結像光学系の第４レンズ群の焦点距離、
Ｌは撮像素子の対角長であり、
ｎｄ１、ｎＣ１、ｎＦ１は正メニスカスレンズのｄ線、Ｃ線、Ｆ線の屈折率である。
【手続補正３】
【補正対象書類名】明細書
【補正対象項目名】００１０
【補正方法】変更
【補正の内容】
【００１０】
本発明に係る撮像装置は、結像光学系の第３レンズ群が、物体側から順に、開口絞り、正の屈折力を有するレンズ成分の前群、正の屈折力を有するレンズ成分の後群からなり、前群の一番像側に負の屈折力を有するレンズ成分を有することが好ましい。
【手続補正４】
【補正対象書類名】明細書
【補正対象項目名】００１１
【補正方法】変更
【補正の内容】
【００１１】
本発明に係る撮像装置は、結像光学系の第３レンズ群が、物体側から順に、開口絞り、正の屈折力を有するレンズ成分の前群、正の屈折力を有するレンズ成分の後群からなり、後群の一番物体側に負の屈折力を有するレンズを有することが好ましい。
【手続補正５】
【補正対象書類名】明細書
【補正対象項目名】００１２
【補正方法】変更
【補正の内容】
【００１２】
本発明に係る撮像装置は、結像光学系の第２レンズ群が、物体側から順に、負の屈折力を有するレンズ成分、正の屈折力を有するレンズ成分、負の屈折力を有するレンズ成分からなることが好ましい。
【手続補正６】
【補正対象書類名】明細書
【補正対象項目名】００１３
【補正方法】変更
【補正の内容】
【００１３】
本発明に係る撮像装置は、結像光学系の第１レンズ群が、物体側から順に正の屈折力を有するレンズ成分と負の屈折力を有するレンズ成分の２つのレンズ成分、又は、それらを接合した１つのレンズ成分で構成されることが好ましい。
【手続補正７】
【補正対象書類名】明細書
【補正対象項目名】０１０１
【補正方法】変更
【補正の内容】
【０１０１】
数値実施例２
単位ｍｍ
面データ
面番号   r          d         nd        νd    
物面     ∞         ∞
1      76.255      5.10     1.48749    70.23
2     -86.712      2.10     1.80518    25.42
3    -162.511      可変
4    3399.854      1.00     1.72916    54.68
5      17.987      1.15
6      19.203      2.25     1.84666    23.78
7      37.086      1.61
8     -34.840      1.00     1.71300    53.87
9     -84.392      可変
10(絞り) ∞        1.50
11     46.995      2.38     1.51633    64.14
12    -59.183      0.28
13     22.545      4.06     1.48749    70.23
14    -41.326      1.00     1.90366    31.32
15    782.855      9.42
16    -87.571      1.80     1.83400    37.16
17     26.470      3.10
18    100.099      2.60     1.51633    64.14
19    -28.402      0.15
20     28.981      2.55     1.60311    60.64
21   -101.096      可変
22    -45.486      0.59     1.63387    23.38
23    -26.259      4.47
24    -22.469      1.00     1.57099    50.80
25     51.356      可変
26       ∞        4.50     1.51633    64.14
27       ∞        1.50
像面（撮像面）∞
各種データ
広角        中間         望遠
焦点距離        40.91       77.49       146.95  
ＦＮＯ．         4.08        4.39         5.71  
画角２ω        31.25       16.15         8.54  
無限遠合焦時
d0                ∞          ∞           ∞
d3               0.90       36.13        56.50  
d9              17.62        5.12         1.00  
d21             10.09       10.77         1.39  
d25             17.10       20.30        44.85  
IO：900mm合焦時
d0             798.79      772.27       740.91
d3               0.90       36.13        56.50  
d9              17.62        5.12         1.00  
d21             11.72       15.83         8.40  
d25             15.47       15.24        37.84
〔硝材屈折率テーブル〕・・・ 本実施例にて使用した媒質の波長別屈折率一覧
硝材                587.56   656.27   486.13   435.84
L12                1.633870 1.626381 1.653490 1.671610
L13                1.570989 1.567616 1.578856 1.585136
F                  1.516330 1.513855 1.521905 1.526213
L11                1.603112 1.600079 1.610024 1.615408
L1,L7              1.487490 1.485344 1.492285 1.495963
L9                 1.834000 1.827376 1.849819 1.862779
L3                 1.729157 1.725101 1.738436 1.745696
L5                 1.712995 1.708974 1.722210 1.729434
L4                 1.846660 1.836488 1.872096 1.894186
L2                 1.805181 1.796106 1.827775 1.847283
L8                 1.903660 1.895260 1.924120 1.941280
L6,L10             1.516330 1.513855 1.521905 1.526213
【手続補正８】
【補正対象書類名】明細書
【補正対象項目名】０１０２
【補正方法】変更
【補正の内容】
【０１０２】
数値実施例３
単位ｍｍ
面データ
面番号   r          d         nd        νd    
物面     ∞         ∞
1      74.021      5.10     1.48749    70.23
2     -95.003      1.02
3     -92.454      2.10     1.80518    25.42
4    -182.076      可変  
5    2229.024      1.00     1.72916    54.68
6      19.773      1.26
7      20.950      2.01     1.84666    23.78
8      38.779      1.95
9     -32.760      1.00     1.71300    53.87
10    -88.704      可変
11(絞り) ∞        1.70
12     56.044      2.28     1.51633    64.14
13    -64.509      0.14
14     21.499      4.22     1.48749    70.23
15    -40.786      1.00     1.90366    31.32
16   -148.154      9.23
17    -43.203      1.80     1.83400    37.16
18     26.121      2.72
19     93.813      2.70     1.51633    64.14
20    -26.277      0.14
21     29.694      2.65     1.60311    60.64
22    -78.103      可変
23    -35.969      0.90     1.63400    22.88
24    -22.585      4.38
25    -19.718      1.00     1.57099    50.80
26     87.496      可変
27       ∞        4.70     1.51633    64.14
28       ∞        1.60
像面（撮像面）∞
各種データ
広角        中間         望遠 
焦点距離        40.88       77.42       146.91   
ＦＮＯ．         4.08        4.39         5.71   
画角２ω        31.31       16.19         8.56   
無限遠合焦時
D0                ∞          ∞           ∞
D4               1.17       35.49        56.69    
D10             17.62        5.12         1.00    
D22              9.49       10.87         1.23    
D26             16.81       19.99        44.75    
IO：900mm合焦時
D0             798.12      771.89       739.94
D4               1.17       35.49        56.69    
D10             17.62        5.12         1.00    
D22             11.24       16.36         8.85
D26             15.06       14.50        37.13 
〔硝材屈折率テーブル〕・・・ 本実施例にて使用した媒質の波長別屈折率一覧
硝材                587.56   656.27   486.13   435.84
L12                1.633997 1.626282 1.653988 1.673212
L13                1.570989 1.567616 1.578856 1.585136
F                  1.516330 1.513855 1.521905 1.526213
L11                1.603112 1.600079 1.610024 1.615408
L1,L7              1.487490 1.485344 1.492285 1.495963
L9                 1.834000 1.827376 1.849819 1.862779
L3                 1.729157 1.725101 1.738436 1.745696
L5                 1.712995 1.708974 1.722210 1.729434
L4                 1.846660 1.836488 1.872096 1.894186
L2                 1.805181 1.796106 1.827775 1.847283
L8                 1.903660 1.895260 1.924120 1.941280
L6,L10             1.516330 1.513855 1.521905 1.526213
【手続補正９】
【補正対象書類名】明細書
【補正対象項目名】０１０４
【補正方法】変更
【補正の内容】
【０１０４】
数値実施例５
単位ｍｍ
面データ
面番号   r          d         nd        νd    
物面     ∞         ∞
1      62.889      5.50     1.48749    70.23
2    -108.347      2.10     1.84666    23.78
3    -224.250      可変
4     191.134      1.00     1.63854    55.38
5      17.569      3.56
6      19.477      2.26     1.80518    25.42
7      46.237      1.35
8     -85.640      1.00     1.65844    50.88
9      48.262      可変
10(絞り) ∞        1.50
11     35.110      2.26     1.51633    64.14
12   -125.366      0.15
13     22.227      3.55     1.49700    81.54
14    -45.474      1.00     1.91082    35.25
15    114.115      9.07
16     38.900      0.93     1.80100    34.97
17     19.453      2.92
18    132.785      2.41     1.48749    70.23
19    -29.064      0.15
20     22.121      2.08     1.60311    60.64
21     57.375      可変
22   -112.103      0.70     1.63400    22.88
23    -40.750      1.00     1.51823    58.90
24     25.508      可変
25       ∞        4.70     1.51633    64.14
26       ∞        1.60
像面（撮像面）∞
各種データ
広角        中間         望遠
焦点距離        40.84       77.46       146.87  
ＦＮＯ．         4.08        4.39         5.71  
画角２ω        30.87       16.00         8.49  
無限遠合焦時
d0                ∞          ∞           ∞
d3               0.90       35.42        55.07   
d9              19.00        6.33         3.40   
d21             14.26       13.71         2.21   
d24             16.88       19.63        47.14   
IO:900mm合焦時
d0             791.06      766.69       734.50
d3               0.90       35.42        55.07   
d9              19.00        6.33         3.40   
d21             15.91       19.00         9.11
d24             15.23       14.34        40.24 
〔硝材屈折率テーブル〕・・・ 本実施例にて使用した媒質の波長別屈折率一覧
硝材                587.56   656.27   486.13   435.84
L2                 1.846660 1.836488 1.872096 1.894186
L4                 1.805181 1.796106 1.827775 1.847283
L8                 1.910823 1.903235 1.929074 1.944115
L11                1.603112 1.600079 1.610024 1.615408
L12                1.633997 1.626282 1.653988 1.673212
L1,L10             1.487490 1.485344 1.492285 1.495963
L9                 1.800999 1.794275 1.817182 1.830612
L13                1.518229 1.515556 1.524354 1.529154
F                  1.603112 1.600079 1.610024 1.615408
L3                 1.638539 1.635051 1.646582 1.652906
L5                 1.658441 1.654553 1.667495 1.674690
L7                 1.496999 1.495136 1.501231 1.504506